【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】  情報処理装置から送信されるファイル単位でのデータ入出力要求を第一のネットワークを通じて受信するファイルアクセス処理部と、記憶デバイスに対する前記データ入出力要求に対応するＩ／Ｏ要求を出力するＩ／Ｏプロセッサとが形成された回路基板を有するチャネル制御部と、
前記Ｉ／Ｏプロセッサから送信されるＩ／Ｏ要求に応じて前記記憶デバイスに対するデータ入出力を実行するディスク制御部と、
前記チャネル制御部および前記ディスク制御部を通信可能に接続する第二のネットワークと
を備える記憶デバイス制御装置にソフトウエアをインストールする方法であって、
前記ファイルアクセス処理部を機能させるためのソフトウエアを、前記第二のネットワークを通じて前記チャネル制御部と通信することにより前記記憶デバイスに書き込むステップを備えることを特徴とする記憶デバイス制御装置にソフトウエアをインストールする方法。
【請求項２】  情報処理装置から送信されるファイル単位でのデータ入出力要求を第一のネットワークを通じて受信するファイルアクセス処理部と、記憶デバイスに対する前記データ入出力要求に対応するＩ／Ｏ要求を出力するＩ／Ｏプロセッサとが形成された回路基板を有するチャネル制御部と、
前記Ｉ／Ｏプロセッサから送信されるＩ／Ｏ要求に応じて前記記憶デバイスに対するデータ入出力を実行するディスク制御部と、
前記チャネル制御部および前記ディスク制御部を通信可能に接続する第二のネットワークと
を備える記憶デバイス制御装置にソフトウエアをインストールする方法であって、
前記第二のネットワークを通じて前記チャネル制御部および前記ディスク制御部に設けられている不揮発性メモリにファームウエアを書き込むステップを備えることを特徴とする記憶デバイス制御装置にソフトウエアをインストールする方法。
【請求項３】  請求項１に記載の記憶デバイス制御装置にソフトウエアをインストールする方法において、
前記記憶デバイスには、前記チャネル制御部の前記ファイルアクセス処理部を機能させるためのソフトウエアを記憶するための記憶領域が割り当てられていること
を特徴とする記憶デバイス制御装置にソフトウエアをインストールする方法。
【請求項４】  請求項１に記載の記憶デバイス制御装置にソフトウエアをインストールする方法において、
前記ファイルアクセス処理部を機能させるための前記ソフトウエアは、ファイルシステムの機能を提供するオペレーティングシステムの機能を実現するためのソフトウエアであること
を特徴とする記憶デバイス制御装置にソフトウエアをインストールする方法。
【請求項５】  請求項１に記載の記憶デバイス制御装置にソフトウエアをインストールする方法において、
前記第二のネットワークにはコンピュータが接続されており、
前記ソフトウエアは、前記チャネル制御部が前記コンピュータと通信することにより、前記コンピュータから前記記憶デバイスに書き込まれること
を特徴とする記憶デバイス制御装置にソフトウエアをインストールする方法。
【請求項６】  請求項１に記載の記憶デバイス制御装置にソフトウエアをインストールする方法において、
前記第二のネットワークにはコンピュータが接続されており、
前記コンピュータが、前記通信を行う前記チャネル制御部を識別するための情報を記憶するステップと、
前記コンピュータが前記情報を記憶している特定の前記チャネル制御部と通信することにより、前記コンピュータから前記ソフトウエアを前記記憶デバイスに書き込むステップと
を備えることを特徴とする記憶デバイス制御装置にソフトウエアをインストールする方法。
【請求項７】  請求項２に記載の記憶デバイス制御装置にソフトウエアをインストールする方法において、
前記ファームウエアは、前記第二のネットワークに接続されるコンピュータから前記チャネル制御部および前記ディスク制御部に送信されること
を特徴とする記憶デバイス制御装置にソフトウエアをインストールする方法。
【請求項８】  請求項２に記載の記憶デバイス制御装置にソフトウエアをインストールする方法において、
前記第二のネットワークにはコンピュータが接続されており、
前記コンピュータが、前記通信を行う前記チャネル制御部及び前記ディスク制御部を識別するための情報を記憶するステップと、
前記コンピュータが前記情報を記憶している特定の前記チャネル制御部及び前記ディスク制御部と通信することにより、前記コンピュータから前記ファームウエアを前記チャネル制御部及び前記ディスク制御部に書き込むステップと
を備えることを特徴とする記憶デバイス制御装置にソフトウエアをインストールする方法。
【請求項９】  情報処理装置から送信されるファイル単位でのデータ入出力要求をネットワークを通じて受信するファイルアクセス処理部と、記憶デバイスに対する前記データ入出力要求に対応するＩ／Ｏ要求を出力するＩ／Ｏプロセッサとが形成された回路基板を有する複数のチャネル制御部を含んで構成され、
前記各チャネル制御部はフェイルオーバを行うためのグループに類別されている記憶デバイス制御装置の制御方法であって、
前記記憶デバイス制御装置が、前記グループ内の全回路基板が同一系統の電源に接続されていないかどうかを検査するステップと、
前記グループ内の全回路基板が同一系統の電源に接続されている場合には、ユーザインタフェースに警告を出力するステップと
を備えることを特徴とする記憶デバイス制御装置の制御方法。
【請求項１０】  情報処理装置から送信されるファイル単位でのデータ入出力要求をネットワークを通じて受信するファイルアクセス処理部と、記憶デバイスに対する前記データ入出力要求に対応するＩ／Ｏ要求を出力するＩ／Ｏプロセッサとが形成された回路基板を有する複数のチャネル制御部を含んで構成され、
前記各チャネル制御部はフェイルオーバを行うためのグループに類別されている記憶デバイス制御装置であって、
前記記憶デバイス制御装置が、前記グループ内の全回路基板が同一系統の電源に接続されていないかどうかを検査する手段と、
前記グループ内の全回路基板が同一系統の電源に接続されている場合には、ユーザインタフェースに警告を出力する手段と
を備えることを特徴とする記憶デバイス制御装置。
【請求項１１】  情報処理装置から送信されるファイル単位でのデータ入出力要求を第一のネットワークを通じて受信するファイルアクセス処理部と、記憶デバイスに対する前記データ入出力要求に対応するＩ／Ｏ要求を出力するＩ／Ｏプロセッサと、前記Ｉ／Ｏプロセッサの制御を司るためのファームウエアが記憶される不揮発性メモリと、が形成された回路基板を有するチャネル制御部と、
前記チャネル制御部とコンピュータとを通信可能に接続する第二のネットワークと、
を備える記憶デバイス制御装置にソフトウエアをインストールする方法であって、
前記コンピュータが、前記第二のネットワークを通じて、前記不揮発性メモリにファームウエアを書き込むステップと、
前記チャネル制御部が、前記記憶デバイス上に論理的に設定されるシステムＬＵをフォーマットすると共に前記コンピュータに記憶されているオペレーティングシステムを読み込むためのインストーラを、前記コンピュータから読み込むステップと、
前記チャネル制御部が、前記システムＬＵをフォーマットするステップと、
前記チャネル制御部が、前記コンピュータからオペレーティングシステムを読み込み、前記システムＬＵに書き込むステップと、
を備えることを特徴とする記憶デバイス制御装置にソフトウエアをインストールする方法。
【請求項１２】  情報処理装置から送信されるファイル単位でのデータ入出力要求をネットワークを通じて受信するファイルアクセス処理部と、記憶デバイスに対する前記データ入出力要求に対応するＩ／Ｏ要求を出力するＩ／Ｏプロセッサとが形成された回路基板を有する複数のチャネル制御部を含んで構成され、複数系統の電源から電力が供給される記憶デバイス制御装置の制御方法であって、
前記記憶デバイス制御装置が、フェイルオーバを行うためのグループに前記各チャネル制御部を類別するための設定情報を、前記情報処理装置から受信するステップと、
前記記憶デバイス制御装置が、前記グループ内の各チャネル制御部が全て同一系統の電源に接続されていないかどうかを検査するステップと、
前記グループ内の各チャネル制御部が全て同一系統の電源に接続されている場合には、前記記憶デバイス制御装置が、前記情報処理装置のユーザインタフェースに警告を出力するステップと、
前記グループ内の各チャネル制御部が複数系統の電源に接続されている場合には、前記記憶デバイス制御装置が、前記各チャネル制御部からアクセス可能な、前記記憶デバイス上に論理的に設定される共有ＬＵに、前記設定情報を記憶するステップと、
を備えることを特徴とする記憶デバイス制御装置の制御方法。